(57)【要約】      （修正有）【課題】適切な画像処理装置にユーザを誘導する画像処理システム及び人物誘導方法を提供する。【解決手段】複数の画像処理装置１０と、画像処理装置と通信ネットワークＮを介して接続された管理サーバ２０とを有する画像処理システム１であって、画像処理装置は、所定の範囲に存在する人物の検知情報に基づき、人物の人数に対応させて管理装置に誘導要求を行う誘導要求手段を有する。管理装置は、誘導要求手段から得られた情報と、予め設定された複数の画像処理装置内における優先順位とに基づき、人物の誘導先の画像処理装置を決定する決定手段と、決定手段により決定された誘導先の画像処理装置に、人物を誘導するための報知要求を行う報知要求手段とを有する。【選択図】図１
2016103062.tif 000002
【特許請求の範囲】
【請求項１】
複数の画像処理装置と、該画像処理装置と通信ネットワークを介して接続された管理装置とを有する画像処理システムであって、
前記画像処理装置は、
所定の範囲に存在する人物の検知情報に基づき、前記人物の人数に対応させて前記管理装置に誘導要求を行う誘導要求手段を有し、
前記管理装置は、
前記誘導要求手段から得られた情報と、予め設定された前記複数の画像処理装置内における優先順位とに基づき、前記人物の誘導先の画像処理装置を決定する決定手段と、
前記決定手段により決定された前記誘導先の画像処理装置に、前記人物を誘導するための報知要求を行う報知要求手段とを有することを特徴とする画像処理システム。
【請求項２】
前記決定手段は、
前記報知要求手段により報知要求が行われた前記誘導先の画像処理装置から、前記人物を誘導できない旨の通知を受け付けた場合に、前記優先順位から次の画像処理装置を選択することを特徴とする請求項１に記載の画像処理システム。
【請求項３】
前記誘導要求手段は、
前記人物の人数が複数の場合に、前記人物ごとに前記管理装置に対して前記誘導要求を行うことを特徴とする請求項１又は２に記載の画像処理システム。
【請求項４】
前記優先順位は、
前記複数の画像処理装置の性能情報により設定されることを特徴とする請求項１乃至３のいずれか一項に記載の画像処理システム。
【請求項５】
前記優先順位は、
前記複数の画像処理装置の位置情報により設定されることを特徴とする請求項１乃至４のいずれか一項に記載の画像処理システム。
【請求項６】
複数の画像処理装置と、該画像処理装置と通信ネットワークを介して接続された管理装置とを有する画像処理システムにおける人物誘導方法であって、
前記画像処理装置が、
所定の範囲に存在する人物の検知情報に基づき、前記人物の人数に対応させて前記管理装置に誘導要求を行う誘導要求手順を有し、
前記管理装置が、
前記誘導要求手順から得られた情報と、予め設定された前記複数の画像処理装置内における優先順位とに基づき、前記人物の誘導先の画像処理装置を決定する決定手順と、
前記決定手順により決定された前記誘導先の画像処理装置に、前記人物を誘導するための報知要求を行う報知要求手順とを有することを特徴とする人物誘導方法。
【発明の詳細な説明】
【技術分野】
【０００１】
本願は、画像処理システム、及び人物誘導方法に関する。
【背景技術】
【０００２】
通信ネットワーク上に画像形成装置が複数存在する環境下において、他の画像形成装置の動作状態を取得し、動作状態が未使用中の他の画像形成装置をユーザに報知する方法が知られている（例えば、特許文献１参照）。
【発明の概要】
【発明が解決しようとする課題】
【０００３】
しかしながら、上述した特許文献１の手法では、画像形成装置の検知エリア内に存在するユーザを検出しているわけではない。したがって、ユーザの検出に応じて、適切な画像形成装置にユーザを誘導することができなかった。
【０００４】
一つの側面では、本発明は、適切な画像処理装置にユーザを誘導することを目的とする。
【課題を解決するための手段】
【０００５】
一つの態様において、複数の画像処理装置と、該画像処理装置と通信ネットワークを介して接続された管理装置とを有する画像処理システムであって、前記画像処理装置は、所定の範囲に存在する人物の検知情報に基づき、前記人物の人数に対応させて前記管理装置に誘導要求を行う誘導要求手段を有し、前記管理装置は、前記誘導要求手段から得られた情報と、予め設定された前記複数の画像処理装置内における優先順位とに基づき、前記人物の誘導先の画像処理装置を決定する決定手段と、前記決定手段により決定された前記誘導先の画像処理装置に、前記人物を誘導するための報知要求を行う報知要求手段とを有する。
【発明の効果】
【０００６】
適切な画像処理装置にユーザを誘導することが可能となる。
【図面の簡単な説明】
【０００７】
【図１】本実施形態における画像処理システムの概略構成の一例を示す図である。
【図２】本実施形態における画像処理装置のハードウェア構成の一例を示す図である。
【図３】本実施形態における管理サーバのハードウェア構成の一例を示す図である。
【図４】本実施形態における画像処理装置の機能構成の一例を示す図である。
【図５】本実施形態における管理サーバの機能構成の一例を示す図である。
【図６】画像処理装置の状態について説明するための図である。
【図７】画像処理装置の状態遷移について説明するための図である。
【図８】管理サーバが保持する管理情報について説明するための図である。
【図９】管理サーバの報知処理の一例を示すフローチャートである。
【発明を実施するための形態】
【０００８】
以下、実施の形態について詳細に説明する。
【０００９】
＜画像処理システム：概略構成＞
図１は、本実施形態における画像処理システムの機能構成の一例を示す図である。図１に示す画像処理システム１は、画像処理装置１０−１〜１０−３（以下、適宜「画像処理装置１０」という）と、管理装置の一例としての管理サーバ２０とを有する。
【００１０】
画像処理装置１０と、管理サーバ２０とは、例えばインターネットやＬＡＮ（Ｌｏｃａｌ  Ａｒｅａ  Ｎｅｔｗｏｒｋ）等に代表される通信ネットワークＮを介して接続され、それぞれデータの送受信が可能である。なお、図１の例に示す画像処理システム１では、例えば３台の画像処理装置１０を有しているが、４台以上の画像処理装置１０を有していても良い。
【００１１】
画像処理装置１０は、例えばスキャナ機能、コピー機能、プリント機能、ＦＡＸ機能等の複数の機能を有するＭＦＰ（Ｍｕｌｔｉ−Ｆｕｎｃｔｉｏｎ  Ｐｅｒｉｐｈｅｒａｌ）等の複写機であるがこれには限定されない。画像処理装置１０は、例えばスキャナ、プリンタ、プロジェクタ、電子黒板、デジタルサイネージ等の各種電子機器であっても良い。
【００１２】
管理サーバ２０は、例えば通信ネットワークＮに接続されている画像処理装置１０の管理情報を保持する。管理サーバ２０は、画像処理装置１０から得られた他の画像処理装置１０への誘導要求と、管理情報で設定された画像処理装置１０内における優先順位とに基づき、誘導先の画像処理装置１０を決定する。また、管理サーバ２０は、誘導先として決定した画像処理装置１０に、ユーザを誘導するための報知要求を行う。
【００１３】
上述した図１に示す画像処理システム１の構成を有することで、適切な画像処理装置１０にユーザを誘導することが可能となる。
【００１４】
＜画像処理装置１０：ハードウェア構成＞
次に、上述した画像処理装置１０のハードウェア構成について説明する。図２は、本実施形態における画像処理装置のハードウェア構成の一例を示す図である。
【００１５】
図２に示す画像処理装置１０は、ＣＰＵ（Ｃｅｎｔｒａｌ  Ｐｒｏｃｅｓｓｉｎｇ  Ｕｎｉｔ）１１と、記憶部１２と、電源部１３と、操作部１４と、報知部１５と、人体検知部１６と、通信部１７と、エンジン１８とを有し、それぞれバスＢで相互に接続されている。
【００１６】
ＣＰＵ１１は、記憶部１２からプログラムやデータを読み出して処理を実行する。ＣＰＵ１１は、画像処理装置１０全体の制御や機能を実現する演算装置である。
【００１７】
記憶部１２は、例えばプログラムやデータを格納する。記憶部１２に格納されているプログラムやデータには、例えば画像処理装置１０を制御する基本ソフトウェアであるＯＳ（Ｏｐｅｒａｔｉｎｇ  Ｓｙｓｔｅｍ）や、ＯＳ上において各種機能を提供するアプリケーションソフトウェア等がある。また、記憶部１２は、例えば管理サーバ２０と通信する際に必要となるネットワークアドレス等を格納する。ネットワークアドレスは、例えばユーザにより操作部１４を介して入力された値である。
【００１８】
電源部１３は、画像処理装置１０に電源を供給する。操作部１４は、ユーザから画像処理装置１０に対する各種入力操作を受け付け、ユーザに画像処理装置１０の状態を通知するインターフェースを有する。
【００１９】
報知部１５は、例えばＬＥＤ（Ｌｉｇｈｔ  Ｅｍｉｔｔｉｎｇ  Ｄｉｏｄｅ）ランプやパトライト（登録商標）、ブザー等である。報知部１５は、ＬＥＤやパトライト等を点滅させたり、ブザーを鳴らしたりすることで、画像処理装置１０が使用可能な状態であることを報知する。
【００２０】
人体検知部１６は、例えば磁気センサや焦電センサ等であるがこれには限定されず、例えば種々の方法を用いて人を検知することが可能である。人体検知部１６は、画像処理装置１０の検知領域内にいる人物を個々に識別し、画像処理装置１０からの距離を測定する。
【００２１】
通信部１７は、例えば通信ネットワークＮと接続し、管理サーバ２０と通信を行う。通信部１７により接続されるネットワーク環境は、有線でも無線でも良くこれらの組合わせでも良い。
【００２２】
エンジン１８は、例えばスキャン機能、プリント機能、コピー機能等の各種機能を実現し、読取動作や印刷動作等を実現する画像処理エンジンである。
【００２３】
＜管理サーバ２０：ハードウェア構成＞
次に、上述した管理サーバ２０のハードウェア構成について説明する。図３は、本実施形態における管理サーバのハードウェア構成の一例を示す図である。図３に示す管理サーバ２０は、ＣＰＵ２１と、記憶部２２と、通信部２３と、操作部２４とを有し、それぞれバスＢで相互に接続されている。
【００２４】
ＣＰＵ２１は、記憶部２２からプログラムやデータを読み出して処理を実行する。ＣＰＵ２１は、管理サーバ２０全体の制御や機能を実現する演算装置である。
【００２５】
記憶部２２は、例えばプログラムやデータを格納する。記憶部２２に格納されているプログラムやデータには、例えば管理サーバ２０を制御するプログラムや、画像処理装置１０の管理情報等がある。
【００２６】
通信部２３は、例えば通信ネットワークＮと接続し、画像処理装置１０−１〜１０−３と通信を行う。通信部２３により接続されるネットワーク環境は、有線でも無線でも良くこれらの組合わせでも良い。
【００２７】
操作部２４は、ユーザから管理サーバ２０に対する各種入力操作を受け付け、ユーザに管理サーバ２０の状態を通知するインターフェースを有する。
【００２８】
＜画像処理装置１０：機能構成＞
次に、上述した画像処理装置１０の機能構成について説明する。図４は、本実施形態における画像処理装置の機能構成の一例を示す図である。
【００２９】
図４に示す画像処理装置１０は、人体検知制御部３１と、報知制御部３２と、通信制御部３３と、印刷制御部３４と、省エネ制御部３５と、操作制御部３６とを有する。
【００３０】
人体検知制御部３１は、例えば図２に示す人体検知部１６を制御する。人体検知制御部３１は、人体検知部１６から得られた検知情報に基づき、検知領域内の人物の人数を判断し、判断結果を省エネ制御部３５に通知する。また、人体検知制御部３１は、検知領域内の人数の増減を判断し、判断結果を省エネ制御部３５に通知しても良い。人数の増減とは、例えば検知領域内の人物の人数が、０人→１人の場合、１人→２人の場合、２人→３人の場合、３人→２人の場合、２人→１人の場合、１人→０人の場合等があるが、これに限定されるものではない。
【００３１】
報知制御部３２は、例えば図２に示す報知部１５を制御する。報知制御部３２は、例えば省エネ制御部３５からの報知要求に応じて、報知部１５のＬＥＤやパトライト等を点滅させたり、ブザーを鳴らしたりする。例えば、報知制御部３２は、検知領域内で検知された人数が１人で、自機が何も処理していないような場合に、報知部１５のＬＥＤ等を点滅させ、検知された人物（ユーザ）に画像処理装置１０が使用可能な状態であることを報知する。
【００３２】
通信制御部３３は、例えば図２に示す通信部１７を制御する。通信制御部３３は、例えば通信ネットワークＮに接続されている管理サーバ２０との通信を行う。
【００３３】
印刷制御部３４は、例えば図２に示すエンジン１８を制御する。印刷制御部３４は、例えば印刷を実行するよう制御する。
【００３４】
省エネ制御部３５は、例えば図２に示す電源部１３を制御する。省エネ制御部３５は、人体検知制御部３１や通信制御部３３から得られる通知内容、印刷制御部３４や操作制御部３６の状態に基づいて、画像処理装置１０各部への電力供給量を変更する。
【００３５】
また、省エネ制御部３５は、人体検知制御部３１から検知領域内で検知された人数が１人である等の人体検知通知が通知されると、報知制御部３２に対して報知要求を行う。また、省エネ制御部３５は、人体検知制御部３１から検知領域内で検知された人数が複数である等の人体検知通知が通知されると、管理サーバ２０に誘導要求を送信する。
【００３６】
誘導要求には、例えば検知領域内での人体検知を表す情報と、検知領域内の人数等が含まれるが、これに限定されるものではない。また、誘導要求は、例えば検知された人数が複数の場合には、人物ごとに管理サーバ２０に送信すると良い。例えば、検知された人数が３人の場合に、そのうち１人は自機で対応可能であるため、残りの２人の人物に対し、それぞれ誘導要求を行うと良い。この場合には、誘導要求を２回行うことになる。なお、誘導要求の送信例については、これに限定されるものではない。
【００３７】
操作制御部３６は、例えば図２に示す操作部１４を介して、ユーザにより入力された内容を印刷制御部３４や省エネ制御部３５に通知するように制御する。例えば、操作制御部３６は、操作部１４上のボタンが操作されるごとに、省エネ制御部３５に操作通知を通知し、操作部１４が使用されている旨を通知する。また、操作制御部３６は、操作部１４上のボタンが操作されてユーザから印刷要求を受け付けた場合には、印刷制御部３４に対して印刷要求を行う。
【００３８】
また、操作制御部３６は、印刷制御部３４や省エネ制御部３５からの要求に応じて、操作部１４に情報を表示するように制御する。例えば、操作制御部３６は、印刷制御部３４から印刷開始後の進捗通知を受け付けると、操作部１４に進捗通知の内容を表示するように制御する。また、操作制御部３６は、印刷制御部３４から印刷終了後の終了通知を受け付けると、操作部１４に終了通知の内容を表示するように制御する。
【００３９】
＜管理サーバ２０：機能構成＞
次に、上述した管理サーバ２０の機能構成について説明する。図５は、本実施形態における管理サーバの機能構成の一例を示す図である。
【００４０】
図５に示す管理サーバ２０は、通信制御部４１と、操作制御部４２と、報知管理部４３とを有する。
【００４１】
通信制御部４１は、例えば図３に示す通信部２３を制御し、通信ネットワークＮに接続されている画像処理装置１０との通信を行う。通信制御部４１は、例えば画像処理装置１０から誘導要求を受け付けると、報知管理部４３に通知する。
【００４２】
操作制御部４２は、例えば図３に示す操作部２４を介して、ユーザにより入力された内容を報知管理部４３に通知するように制御する。
【００４３】
報知管理部４３は、管理対象の画像処理装置１０の情報を管理する。報知管理部４３は、通信制御部４１から通知された誘導要求の内容を判断し、誘導要求を依頼した画像処理装置１０のネットワークアドレスを取得する。報知管理部４３は、予め設定された管理対象の画像処理装置１０内で省エネから復帰させる優先順位を表す管理情報を参照し、画像処理装置１０の誘導要求に対して、人物を誘導するための報知要求を行う画像処理装置１０を決定する。
【００４４】
なお、管理情報に示される優先順位は、予め管理者等のユーザが設定しても良く、画像処理装置１０の性能情報や位置情報等に応じて設定しても良いがこれに限定されるものではない。例えば、各画像処理装置１０の性能を比較し、高性能の画像処理装置１０の優先順位を高く設定することが可能である。性能情報とは、例えば画像処理装置内のＣＰＵの数や演算速度等である。また、各画像処理装置１０の設置位置の位置情報（例えば経度、緯度情報や、ＧＰＳ情報等）を取得して、優先順位を最も高く設定した画像処理装置１０を基準にその画像処理装置１０の設置位置から近い順に優先順位を設定しても良い。
【００４５】
報知管理部４３は、決定した画像処理装置１０に対して報知要求を行う。また、報知管理部４３は、報知要求を行った画像処理装置１０から報知不可等の応答を受けた場合には、その画像処理装置１０を除く、残りの画像処理装置１０から優先順位に基づいて画像処理装置１０を選択しても良い。
【００４６】
＜画像処理装置１０の状態と電力状態＞
次に、上述した画像処理装置１０の状態と電力状態との関係について説明する。図６は、画像処理装置の状態と電力状態について説明するための図である。
【００４７】
図６に示すように、画像処理装置１０は、例えば「起動」、「省エネ」、「停止」等の状態（モード）を有する。画像処理装置１０が「起動」の状態では、例えば図２に示す電源部１３が、バスＢを介してＣＰＵ１１、記憶部１２、操作部１４、報知部１５、人体検知部１６、通信部１７、エンジン１８の全てに電力を供給している電力状態となる。
【００４８】
画像処理装置１０が「省エネ」の状態では、例えば図２に示す電源部１３が、バスＢを介してＣＰＵ１１、人体検知部１６、通信部１７にのみ電力を供給している電力状態となる。また、画像処理装置１０が「停止」の状態では、例えば図２に示す電源部１３が電力の供給を停止した電力状態となるため、画像処理装置１０のハードウェア全てが停止している状態となる。
【００４９】
上述したように状態を適宜切り替えることにより、効率的に電力を供給することが可能となる。
【００５０】
＜画像処理装置１０の状態遷移＞
次に、上述した画像処理装置１０の状態遷移について説明する。図７は、画像処理装置の状態遷移について説明するための図である。なお、図７の各状態（モード）は、上述した図６の例に対応している。
【００５１】
図７に示すように、画像処理装置１０は、例えば操作部１４上の電源ボタンが押下されて電源が供給されると、「停止」の状態から「起動」の状態に遷移する。また、画像処理装置１０は、例えば操作部１４上の電源ボタンが押下されて電源の供給が停止されると、「起動」の状態から「停止」の状態に遷移する。
【００５２】
また、画像処理装置１０は、省エネ制御部３５が、所定時間内に操作制御部３６から操作通知が通知されない場合に、印刷制御部３４に印刷中か問い合わせる。省エネ制御部３５は、印刷制御部３４から印刷中でない旨の通知を受け付けると、「起動」の状態から「省エネ」の状態に移行する。
【００５３】
なお、画像処理装置１０は、印刷制御部３４から印刷中である旨の通知を受け付けたり、所定時間内に操作制御部３６から操作通知が通知された場合に、所定時間経過後、「起動」の状態から「省エネ」の状態へと移行を試みる。
【００５４】
また、画像処理装置１０は、人体検知制御部３１が検知領域内の人物を検出したり、通信制御部３３が管理サーバ２０からの通信を検知したり、操作制御部３６から操作通知を受け付けた場合に、「省エネ」の状態から「起動」の状態に復帰する。
【００５５】
＜管理サーバが保持する管理情報＞
次に、上述した管理サーバ２０が保持する管理情報について説明する。図８は、管理サーバが保持する管理情報について説明するための図である。
【００５６】
図８に示す管理情報は、例えば「名称」、「優先度」、「アドレス」等のデータ項目を有している。「名称」は、管理サーバ２０が管理対象とする画像処理装置１０を特定する情報である。「優先度」は、管理サーバ２０が管理対象の画像処理装置１０を省エネから復帰させる優先順位を判断するときに用いる。なお、優先度は、図８に示す数値が低い方が優先度が高いことを表しているが、これに限定されるものではない。
【００５７】
「アドレス」は、管理サーバ２０が管理対象の画像処理装置１０と通信するときに用いるネットワークアドレスである。
【００５８】
上述した管理情報は、例えば記憶部２２に格納される。管理情報の「名称」、「優先度」、「アドレス」等の情報は、例えば操作部２４を介してユーザにより入力される。管理サーバ２０は、操作制御部４２により入力された情報を報知管理部４３に通知すると、報知管理部４３により管理情報を更新する。
【００５９】
＜省エネ中に人物を検出したときの画像処理装置の処理＞
次に、省エネ中に人物を検出したときの画像処理装置１０の処理について説明する。画像処理装置１０において、人体検知制御部３１は、検知領域内の人物を検出すると、例えば、省エネ制御部３５に検知領域内の人物の人数を通知する人体検知通知を行う。
【００６０】
省エネ制御部３５は、人体検知制御部３１から人体検知通知を受け付けると、画像処理装置１０の状態を、例えば「省エネ」の状態から「起動」の状態に復帰させる。また、省エネ制御部３５は、報知制御部３２に報知要求を行う。報知制御部３２は、報知要求に基づき、報知部１５のＬＥＤやパトライト等を点滅させたり、ブザーを鳴らしたりする。なお、どのような報知を行うかについては、例えば予め設定された固定の通知を行っても良く、報知要求に含まれる情報を用いて選択的な方法で報知しても良い。
【００６１】
また、省エネ制御部３５は、人体検知制御部３１から受け付けた人体検知通知により、検知領域内に複数（２人以上）の人物が存在すると通知された場合には、通信制御部３３を介して管理サーバ２０に対して誘導要求を行う。
【００６２】
＜起動中に人物を検出したときの画像処理装置１０の処理＞
次に、起動中に人物を検出したときの画像処理装置１０の処理について説明する。画像処理装置１０において、人体検知制御部３１は、検知領域内の人物を検出すると、例えば、省エネ制御部３５に検知領域内の人物の人数を通知する人体検知通知を行う。
【００６３】
省エネ制御部３５は、人体検知制御部３１から検知領域内の人数が０から１人に変化したと通知された場合に、報知制御部３２に報知要求を行う。なお、省エネ制御部３５は、検知領域内に複数（２人以上）の人物が存在すると通知された場合には、上述したように管理サーバ２０に対して誘導要求を行う。
【００６４】
＜管理サーバ２０の報知処理＞
次に、上述した管理サーバ２０により実行される報知処理について説明する。図９は、管理サーバの報知処理の一例を示すフローチャートである。
【００６５】
図９に示すように、管理サーバ２０は、通信制御部４１を介して画像処理装置１０から誘導要求を受け付けると、報知管理部４３により予め設定された管理情報のコピーを作成する（Ｓ１０）。報知管理部４３は、管理情報のコピーを用いて処理を行う。なお、コピーを用いる理由は、管理サーバ２０への誘導要求が、複数の画像処理装置１０から同時に又は短時間のうち送信される場合に、要求ごとに管理情報を更新（削除）していきながら、適切な画像処理装置１０を選択するためである。
【００６６】
報知管理部４３は、Ｓ１０の処理で得られた管理情報のコピーを参照して、現時点において最も優先度の高い画像処理装置１０を選択し（Ｓ１１）、画像処理装置１０が選択できたか判断する（Ｓ１２）。報知管理部４３は、画像処理装置１０が選択できたと判断すると（Ｓ１２において、ＹＥＳ）、誘導要求を行った画像処理装置１０のネットワークアドレスと、Ｓ１１の処理で選択した画像処理装置１０のネットワークアドレスとが一致するか判断する（Ｓ１３）。
【００６７】
報知管理部４３は、ネットワークアドレスが一致すると判断すると（Ｓ１３において、ＹＥＳ）、Ｓ１１の処理で選択した画像処理装置１０をＳ１０の処理で得られた管理情報のコピーから削除する（Ｓ１４）。
【００６８】
また、報知管理部４３は、ネットワークアドレスが一致していないと判断すると（Ｓ１３において、ＮＯ）、Ｓ１１の処理で選択した画像処理装置１０に報知要求を行う（Ｓ１５）。報知管理部４３は、報知要求を行った画像処理装置１０から報知要求を受け付けた旨の応答があったか判断し（Ｓ１６）、応答がないと判断すると（Ｓ１６において、ＮＯ）、Ｓ１４の処理に進む。
【００６９】
また、報知管理部４３は、報知要求を行った画像処理装置１０から応答があったと判断すると（Ｓ１６において、ＹＥＳ）、処理を終了する。なお、報知管理部４３は、例えばＳ１０の処理で得られた管理情報に画像処理装置１０が登録されていない場合には、画像処理装置１０が選択できないと判断し（Ｓ１２において、ＮＯ）、処理を終了する。
【００７０】
＜報知要求を受けたときの画像処理装置１０の処理＞
次に、上述した管理サーバ２０から報知要求を受けたときの画像処理装置１０の処理について説明する。
【００７１】
画像処理装置１０において、通信制御部３３は、管理サーバ２０から報知要求を受け付けると、省エネ制御部３５に報知要求を通知する。ここで、省エネ制御部３５は、報知可能か報知不可能か判断し、報知可能と判断した場合には、管理サーバ２０に報知要求を受け付けた旨の応答を行う。また、省エネ制御部３５は、報知不可能と判断した場合には、管理サーバ２０に報知不可応答を行う。
【００７２】
省エネ制御部３５は、例えば「現在報知していない」、「起動状態である」、「検知領域内で人を検知していない」等の条件に合致していない場合に、報知不可能と判断する。なお、省エネ制御部３５は、報知可能と判断し、機器の状態が「省エネ」の状態の場合には、「起動」の状態に変更する。また、省エネ制御部３５は、現在報知していない場合には、報知制御部３２に報知要求を行う。
【００７３】
＜画像処理装置１０の報知終了処理＞
次に、上述した画像処理装置１０の報知終了処理について説明する。画像処理装置１０において、省エネ制御部３５は、人体検知制御部３１から人体検知通知として検知領域内の人数が０人に変化した旨の通知を受け付けたり、操作制御部３６から操作通知を受け付けたり、管理サーバ２０から報知要求を受け付ける。
【００７４】
省エネ制御部３５は、上述した人体検知通知や、操作通知、報知要求を受け付けてから、所定時間経過後、検知領域内の人数が例えば０人で報知を行っている場合には報知制御部３２に報知終了を要求する。
【００７５】
報知制御部３２は、省エネ制御部３５から報知終了を受け付けると、報知部１５のＬＥＤやパトライト等の点滅を終了し、ブザーを止める。
【００７６】
上述した実施形態によれば、検知された人物の人数に基づいて、管理サーバ２０が複数の画像処理装置１０に処理を振り分けることで、ユーザの待ち時間を削減し、優先順位に基づき適切な画像処理装置１０にユーザを誘導することが可能となる。
【００７７】
また、管理サーバ２０を有することで、画像処理装置１０ごとに通信ネットワーク上の他の画像処理装置１０と通信するのに必要な情報を、装置分だけ入力する必要がなくなるため、ユーザの利便性を向上させることが可能となる。すなわち、画像処理装置１０を管理する管理サーバ２０のみが処理の割り振りを行い、報知する画像処理装置１０を決定するため、報知を依頼する（誘導要求を行う）画像処理装置１０は、管理サーバ２０のネットワークアドレスだけを知っていれば良いため、通信ネットワーク上の他の画像処理装置１０のネットワークアドレスを知る必要がない。そのため、画像処理システム１におけるネットワーク管理を効率的に行うことが可能となる。
【００７８】
なお、上述した実施形態では、複数の画像処理装置が接続されたシステム構成として説明したが、用途や目的に応じて様々なシステム構成例に適用することが可能である。
【００７９】
本発明は、具体的に開示された上記の実施形態に限定されるものではなく、特許請求の範囲から逸脱することなく、種々の変形や変更が可能である。
【符号の説明】
【００８０】
１  画像処理システム
１０  画像処理装置
１１，２１  ＣＰＵ
１，２２  記憶部
１３  電源部
１４，２４  操作部
１５  報知部
１６  人体検知部
１７，２３  通信部
１８  エンジン
２０  管理サーバ（管理装置の一例）
３１  人体検知制御部
３２  報知制御部
３３，４１  通信制御部
３４  印刷制御部
３５  省エネ制御部（誘導要求手段の一例）
３６，４２  操作制御部
４３  報知管理部（決定手段、報知要求手段の一例）
【先行技術文献】
【特許文献】
【００８１】
【特許文献１】特開２００２−２７３９８７号公報
【図１】
2016103062.tif 000003
【図２】
2016103062.tif 000004
【図３】
2016103062.tif 000005
【図４】
2016103062.tif 000006
【図５】
2016103062.tif 000007
【図６】
2016103062.tif 000008
【図７】
2016103062.tif 000009
【図８】
2016103062.tif 000010
【図９】
2016103062.tif 000011